(57)【特許請求の範囲】
【請求項１】
取引履歴を記憶する第一の記憶部と、
装置上部に設けられ、第一の記憶部に記録されている取引履歴の一部を記録する第二の記憶部と、
装置下部に設けられ、水を検知する水検知センサと、
上位装置との回線接続部と、を備えた金融取引処理装置であって、
前記取引履歴は、前記回線接続部が前記上位装置より受信した取引に関する情報である第一の取引履歴と、係員による処理に関する情報である第二の取引履歴とを含み、
前記水検知センサにより水を検知した場合に、前記第二の取引履歴のみを前記第二の記憶部に記憶することを特徴とする金融取引処理装置。
【請求項２】
前記第一の記憶部が故障した後であり、該第一の記憶部に取引履歴を記憶できる状態に復旧した場合、
前記制御部は、前記回線接続部を介して前記上位装置から受信した前記第一の取引履歴と、前記第二の記憶部に記憶した前記第二の取引履歴とを、前記第一の記憶部に記憶する請求項１記載の金融取引処理装置。
【請求項３】
前記第一の取引履歴と前記第二の取引履歴とは、時系列に関する情報を含み、
前記第一の記憶部に記憶されるときに、該時系列に関する情報を用いて、前記第一の取引履歴と前記第二の取引履歴とを時系列通りに整列する請求項２記載の金融取引処理装置。
【発明の詳細な説明】
【技術分野】
【０００１】
この発明は、例えば利用者自ら操作を行い、金融取引を行なう金融取引処理装置内の取引履歴バックアップ手段に関する。
【背景技術】
【０００２】
近年、金融取引処理装置（ＡＴＭ：Automated Teller Machine等）は、取引の証跡を残すために取引履歴をＡＴＭ内のジャーナル装置にて紙に印字し、保有している。昨今の環境問題から紙をなくして電子記憶媒体に電子的に記録することでペーパレスのニーズが高まっている。
【０００３】
電子記憶媒体の故障時などは、ＲＡＩＤなどの技術で冗長性を高める技術は確立しているが、水害などの災害時には、電子記憶媒体全体が故障してしまい、記録データの復元が不可能となり、ペーパーレス化に踏み切ることができなかった。
【０００４】
このような水害時でも問題ないように冗長化をはかるためにホスト側の上位装置にＡＴＭが生成した情報もリアルに送信して格納しておくことで対応は可能だが、ホスト改造などが発生し、費用面でも大変である。そこでデータを復元できるよう、装置配下に水が浸水したときだけに、即座にバックアップ記憶部にデータを移動することで保全を可能としている。
【先行技術文献】
【特許文献】
【０００５】
【特許文献１】特開平9-35126号公報
【発明の概要】
【発明が解決しようとする課題】
【０００６】
前記文献にあるようにＡＴＭでは取引履歴をジャーナルとして紙に印字して残していたが、ジャーナル用紙切れや印字するためのジャーナルプリンタが故障した場合に、ＡＴＭが使えなくなることを避けるために、一旦、データとして残しておき、用紙の補充、ジャーナルプリンタの修理後に印字することにより、ＡＴＭを継続して使用させている。ところがこの状態において、電子ジャーナル記憶部などが災害で水没したりすると、電子ジャーナル記憶部が使用できなくなり、ジャーナル印字すべきデータが消えてしまう問題があった。
【０００７】
この発明は、金融取引処理装置は、電子的に取引履歴データを磁気ディスクなどに記憶しているが、水害などにより電子部品がすべて故障するような冗長性機能が果たせなくなるような場合、取引履歴データの復元ができない。
【課題を解決するための手段】
【０００８】
上記の課題を解決するために、この発明は、取引履歴を記憶する第一の記憶部と、装置上部に設けられ、第一の記憶部に記録されている取引履歴の一部を記録する第二の記憶部と、装置下部に設けられ、水を検知する水検知センサと、上位装置との回線接続部と、を備えた金融取引処理装置であって、前記取引履歴は、前記回線接続部が前記上位装置より受信した取引に関する情報である第一の取引履歴と、係員による処理に関する情報である第二の取引履歴とを含み、前記水検知センサにより水を検知した場合に、前記第二の取引履歴のみを前記第二の記憶部に記憶することを特徴とする。
【発明の効果】
【０００９】
この発明により、水害発生時に短時間で情報を退避でき、復元にはセンタ側記録情報等を活用することで元の取引履歴データを復元することができる。
【図面の簡単な説明】
【００１０】
【図１】ＡＴＭの外観を示す斜視図。
【図２】ＡＴＭの内部構成を示すブロック図。
【図３】ホストの内部構成を示すブロック図。
【図４】ＡＴＭ内取引履歴情報のイメージ図。
【図５】ＡＴＭ生成情報退避処理のフローチャート。
【図６】ＡＴＭ生成バックアップ情報のイメージ図。
【図７】センタの履歴情報面のイメージ図。
【発明を実施するための形態】
【００１１】
この発明の一実施形態を以下図面と共に説明する。
【００１２】
本実施形態は、銀行システムなどの金融機関システムに採用される例えばＡＴＭ（Automated Teller Machine）のような金融取引処理装置に関する。
【００１３】
図１は、金融取引処理装置としてのＡＴＭ１の外観を示す斜視図であり、図２は、ＡＴＭ１の内部構成を示すブロック図であり、図３は、ＡＴＭ１と通信回線を介して接続されている上位装置であるホストコンピュータとしてのホスト１４の内部構成を示すブロック図である。
【００１４】
図１および図２に示すように、ＡＴＭ１は、金融機関等に設置され、顧客である利用者の操作によって現金の入金や出金等の取引を行う自動取引装置である。このＡＴＭ１は、回線接続部１１により上位に設けたホスト１３の回線接続部１８に接続されている。ＡＴＭ１は、操作案内部２、紙幣処理部３、硬貨処理部４、カード／明細票処理部５、通帳処理部６、音声案内ガイダンス部７、利用者検知センサ部８、バックアップ記憶部１２、水検知センサ１３そしてこれら各部を制御する制御部１０などで構成されており、利用者の希望する種々の金融取引を自動的に実行する。制御部１０は、ＣＰＵ、記憶部９等のハード構成と、前記記憶部９に記憶されたプログラム、ＡＴＭの取引履歴などのデータ等のソフト構成とから成り、各種処理、取引を制御する。
【００１５】
操作案内部２は、利用者に対して取引を誘導する操作案内手段としての画面表示部２ａ、及び利用者が入力するためのキー入力機能を有する入力手段としての操作部２ｂから構成されている。主にＡＴＭ１の利用者が取引を行う際、ＡＴＭ１は、前記画面表示部２ａで取引処理案内を行ない、操作部２ｂにて希望する取引種別キーを選択入力させ、選択された取引を処理する。尚、操作案内部２は、操作案内表示画面に表示された表示キーへの押下を検知出来るようになっており、画面（ディスプレイ）とキー（タッチパネル）が一体化されたタッチパネルディスプレイ等により構成された入力兼表示部（入力表示部ともいう）が好ましい。そして、操作部２ｂは、表示ボタンあるいは表示キーとして構成されることが好ましい。
【００１６】
紙幣処理部３と硬貨処理部４は、現金の入金や出金機能、現金の鑑別や搬送、収納機能を有する。
【００１７】
カード／明細票処理部５は、利用者のカードの挿入又は排出動作、カードの磁気ストライプ又はＩＣチップへのリード又はライト動作、カードエンボス部分のイメージの読取り機能などを有する。また取引した内容を印字部により明細票に印字し、装置内から排出する明細票機構を有する。
【００１８】
通帳機構部６は、利用者の通帳の挿入を受け付けまた排出する挿入／排出機能、磁気ストライプのリード／ライト機能、通帳への印字部による印字機能などを有する。
【００１９】
音声案内ガイダンス部７は、前記操作案内部２で利用者が取引を行なう際に、音声にて取引案内のサポートを実施し、利用者が取り忘れた現金の注意喚起等を行なう機能を有する。
【００２０】
利用者検知センサ部８は、ＡＴＭ１の前方部に設けられ、該装置の前方の利用者が存在するか否かを検知するものである。この利用者検知センサ部８は、検知結果を制御部１０に通知し、利用者の挙動に対する様々な対応を実施するものである。
【００２１】
記憶部９は、各種処理、取引に必要なプログラム、ＡＴＭ取引履歴などのデータ等が記憶されており、制御部１０によって、記憶制御される。
【００２２】
バックアップ記憶部１２は、制御部１０によって、記憶部に記録されている取引履歴情報の一部をバックアップし記録されるものである。
【００２３】
水検知センサ１３は、水害等で浸水が発生したときに、その状態を検知し、制御部１０に通知するものである。
【００２４】
図３に示すように、ＡＴＭ１と接続するホスト１４は、回線接続部１８を介してＡＴＭ１の回線接続部１１と接続され、ＡＴＭ１とのデータの送信または受信を行う。
【００２５】
ホスト１４は、利用者の口座情報などを記憶する口座情報ファイル１７およびＡＴＭ取引履歴ファイル１８を記憶するファイル部１６と、これらを制御するホストコンピュータ制御部１５とを有する。
【００２６】
ＡＴＭ取引履歴ファイル１８は、ＡＴＭ１とホスト１が取引情報を送受信を行ったことによる取引内容の証跡として履歴情報を保有する。保有している内容はＡＴＭの記憶部にも同じ内容が記録されている。
【００２７】
図４はＡＴＭ１内の記憶部９内に記憶されているＡＴＭ内取引履歴情報３０の例である。ＡＴＭ内取引履歴情報には、ホスト１４と通信を行った結果得られるホスト情報(30a,30d,30e)と係員処理などの証跡としてのＡＴＭ内生成情報(30b,30ｃ,30f)とが時系列的に格納されている。ホスト情報は、取引通番という情報で時系列を認識できるようになっている。ＡＴＭ内生成情報は、直近の取引通番にそれ以降の時系列インデックスを付加したインデックスを記憶することでＡＴＭ内生成情報であることの認識と時系列を確保することができる。例えば図４内に示すＡＴＭ内生成情報通番（１−１）３１の意味は、取引通番１の後に最初に発生した事象であることが認識できる。
【００２８】
図５は、水害などの浸水が発生した時のバックアップ処理フローを示す。水検知センサ部１３でＡＴＭ床下に水を検知した場合（ステップＳ４０１）、制御部１０は、記憶部９に対して、ＡＴＭ生成情報退避処理を開始する（ステップＳ４０２）。制御部１０は、退避すべき記憶領域の最初の取引レコードを検索しＡＴＭ生成情報かを「ＡＴＭ内生成情報通番」の有無を確認（ステップＳ４０３）し、ホスト情報ならば次レコードを検索し（ステップＳ４０５）、ＡＴＭ内生成情報通番ならば、その情報をバックアップ記憶部にデータを転送する（ステップＳ４０４）。その操作を対象領域のすべてのレコードに対して実施し（ステップＳ４０６）、すべて終了すればATM生成情報退避処理を終了する（ステップＳ４０７）。
【００２９】
また、その処理が終了すると図６に示すように、バックアップ記憶部１２には、ＡＴＭが生成した取引履歴情報が格納される。
【００３０】
図７には、ホスト内のＡＴＭ取引履歴ファイル１８の、センタ履歴情報３３内には、取引通番にて時系列的に整列されたＡＴＭとの取引履歴情報（33a,33b,33ｃ）が記憶されており、本情報は、ATM内部に記憶されているATM内取引履歴情報30のホスト情報と同等の内容が記憶されている。
【００３１】
万一、水害により記憶部９がデータ復元不可能な状態になった場合でも、金融取引装置を修理した後に、ホスト内のＡＴＭ取引履歴ファイル１８内のセンタ履歴情報３３をダウンロードしてもらい、さらにバックアップ記憶部１２内のＡＴＭ生成バックアップ情報３２を組み合わせ、ＡＴＭ生成情報時系列インデックスを活用することで、ＡＴＭ取引履歴情報が復元可能となる。
【符号の説明】
【００３２】
１…ＡＴＭ、２…操作案内部、２ａ…画面表示部、２ｂ…操作部、３…紙幣処理部、４…硬貨処理部、５…カード／明細書処理部、６…通帳処理部、７…音声案内ガイダンス部、８…利用者検知センサ部、９…記憶部、１０…制御部、１１…回戦接続部、１２…バックアップ記憶部、１３…水検知センサ、１４…ホスト、１５…ホストコンピュータ制御部、１６…ファイル部、１７…口座情報ファイル、１８…ＡＴＭ取引履歴ファイル、３０…ＡＴＭ内取引履歴情報エリア、30a〜30ｆ…ＡＴＭ取引履歴データ例、３１…ＡＴＭ生成情報時系列インデックス、３２…ＡＴＭ生成バックアップ情報エリア、32a〜32c…ＡＴＭ生成バックアップ情報データ例、３３…センタの履歴情報エリア、33a〜33c…センタの履歴情報データ例。
【図１】
0005500869.tif 000002
【図２】
0005500869.tif 000003
【図３】
0005500869.tif 000004
【図４】
0005500869.tif 000005
【図５】
0005500869.tif 000006
【図６】
0005500869.tif 000007
【図７】
0005500869.tif 000008